(57)【要約】【課題】本発明は撮像手段を駆動するモータの動作と外部記憶媒体の動作との重複動作を制御して、電池寿命を延長させるデジタルカメラを提供する。【解決手段】デジタルカメラ１は、モータ２１１〜２１４を駆動する際には、ＰＣカード３１２を駆動するカードインタフェース３１１が動作中かチェックし、動作中であると、一旦カードインタフェース３１１の動作を停止して、モータ２１１〜２１４を動作させる。デジタルカメラ１は、モータ２１１〜２１４の動作が終了すると、停止していたカードインタフェース３１１の動作を再開させて、ＰＣカード３１２に対する画像データの書込動作及び読出動作を行うことで、モータ２１１〜２１４とＰＣカード３１２との重複動作を制御する。【選択図】　　　　　図１
2004048556.tif 000002
【特許請求の範囲】
【請求項１】
それぞれモータで駆動される絞り、シャッタ、フォーカス、ズームの少なくとも１つを有する撮像手段で被写体を撮像して、当該撮像した被写体の画像データを所定のデータ形態で外部記憶媒体に書き込んで記録し、当該外部記憶媒体に記録されている前記画像データを読み出して表示手段に再生画像として表示するデジタルカメラにおいて、前記モータを駆動する際には、前記外部記憶媒体に対する前記画像データの書込動作及び読出動作を禁止して、前記モータと前記外部記憶媒体との重複動作を制御する制御手段を備えたことを特徴とするデジタルカメラ。
【請求項２】
前記制御手段は、前記モータを駆動させる際に、前記外部記憶媒体の動作の有無を判別し、当該外部記憶媒体が動作中であると、当該外部記憶媒体の動作を一旦停止して、前記モータの駆動動作を行い、当該モータの動作が完了すると、前記停止した前記外部記憶媒体の動作を再開することを特徴とする請求項１記載のデジタルカメラ。
【請求項３】
前記制御手段は、前記外部記憶媒体に対する前記画像データの書込動作または読出動作と前記モータの駆動動作を同時に行った場合の消費電流が、前記モータ動作時の定常動作またはピーク動作の消費電流よりも低い場合には、前記外部記憶媒体と前記モータの重複動作を許容することを特徴とする請求項１または請求項２記載のデジタルカメラ。
【請求項４】
前記制御手段は、電源の１次側入力電圧が所定の規定電圧よりも低下したときにのみ、前記外部記憶媒体と前記モータの重複動作を禁止することを特徴とする請求項１から請求項３のいずれかに記載のデジタルカメラ。
【請求項５】
前記デジタルカメラは、前記モータを駆動制御するモータドライバと、前記外部記憶媒体への前記画像データの書込動作及び読出動作を制御する記憶媒体コントローラと、を備え、前記制御手段は、前記モータドライバ及び前記記憶媒体コントローラの動作の有無に基づいて、前記モータ及び前記外部記憶媒体の動作を判別し、当該モータドライバ及び当該記憶媒体コントローラを制御して、前記モータと前記外部記憶媒体の重複動作を制御することを特徴とする請求項１から請求項４のいずれかに記載のデジタルカメラ。
【請求項６】
前記デジタルカメラは、前記モータ駆動用の電源系統と前記外部記憶媒体駆動用の電源系統が同じ電源系統であることを特徴とする請求項１から請求項５のいずれかに記載のデジタルカメラ。
【発明の詳細な説明】
【０００１】
【発明の属する技術分野】
本発明は、デジタルカメラに関し、詳細には、撮像手段を駆動するモータの動作と外部記憶媒体の動作との重複動作を制御して、電池寿命を延長させるデジタルカメラに関する。
【０００２】
【従来の技術】
近時、普及してきているデジタルカメラでは、一般的に、絞り、シャッタ、フォーカス、ズームのうち少なくとも任意の１つ以上を撮像手段として用いており、携帯性から１次電源として、主に電池を用いている。
【０００３】
一方、近年、デジタルカメラは、携帯性をさらに良くするために、小型化が進み、デジタルカメラを構成する半導体素子の省電力化が進んでいるが、電池も小型化が必要となるため、例えば、単三アルカリ電池等では本数の低減、リチウムイオン２次電池では小型化による容量の減少等から、いままで以上に省電力の制御が必要になっている。
【０００４】
一般に、モータの動作電流は大きく、なおかつその動作時期は、モータ以外のカメラのシステム構成部材が動作している状態であるため、消費電流としては、モータの動作時期がピーク電流として現れる。
【０００５】
また、電池は、内部抵抗が存在しており、ピーク電流による電圧降下により、本来は電池寿命にいたらなくてもピーク電流値によっては電源の動作電圧範囲の下限に早く到達して電池寿命の低下を招き、特に、内部抵抗が比較的大きい単三アルカリ電池では、このピーク電流による電圧降下の影響が特に大きい。
【０００６】
そして、従来、電子的に撮像されるスチル画像を出力する撮像手段と、前記撮像手段より出力されるスチル画像信号に対して所定の信号処理を行う信号処理手段と、前記信号処理手段で処理された信号を記録するディスク記憶媒体と、前記ディスク記憶媒体を回転駆動する駆動手段とを有する電子スチルカメラにおいて、前記信号処理手段と前記ディスク記憶媒体との間にバッファメモリを設け、前記ディスク記憶媒体が安定した定常状態に入ったことを検出する検出手段と、前記信号処理手段で処理したスチル画像信号の前記バッファメモリへの書込開始に同期して前記駆動手段の起動を行い、前記検出手段がディスク記憶媒体の安定回転を検出したとき、前記バッファメモリに書き込んだスチル画像信号を前記ディスク記憶媒体に記録するように制御する制御手段と、を設け電子スチルカメラが提案されている（特開平６−１８１５６１号公報参照）。
【０００７】
すなわち、この従来の電子スチルカメラは、信号処理手段での信号処理時間が長い時間必要であっても、大電流を消費する回路（ディスク駆動手段）の駆動タイミングをコントロールすることで、電流消費をできるだけ少なくしようとしている。
【０００８】
また、特開平８−２７５５９０号公報では、フォーカスモータ、ズームモータの動作を制御して、消費電流を低減する携帯用ビデオカメラが開示されている。
【０００９】
【発明が解決しようとする課題】
しかしながら、このような従来技術にあっては、カメラの利用性を向上させつつより一層電池寿命を向上させる上で改良の必要があった。
【００１０】
すなわち、特開平６−１８１５６１号公報記載の電子スチルカメラにあっては、スチル画像信号を一旦バッファメモリに蓄積した後、モータの定常時に外部メモリであるディスクメモリに書き込みを行って、消費電流を低減しようとしているが、モータの動作については考慮されておらず、モータとメモリの同時使用では電池寿命の低下を招という問題があった。
【００１１】
また、特開平８−２７５５９０号公報記載の携帯用ビデオカメラにあっては、メモリ動作については考慮されておらず、モータとメモリを同時使用すると、電池寿命の低下を招くという問題があった。
【００１２】
そこで、請求項１記載の発明は、それぞれモータで駆動される絞り、シャッタ、フォーカス、ズームの少なくとも１つを有する撮像手段で被写体を撮像して、当該撮像した被写体の画像データを所定のデータ形態で外部記憶媒体に書き込んで記録し、当該外部記憶媒体に記録されている画像データを読み出して表示手段に再生画像として表示するに際して、モータを駆動する際には、外部記憶媒体に対する画像データの書込動作及び読出動作を禁止して、モータと外部記憶媒体との重複動作を制御することにより、電池動作でのピーク電流を軽減して、ピーク電流に基づく電池の内部抵抗の電圧降下による電源の動作電圧範囲下限への到達を遅らせ、電池寿命を延ばして、利用性を向上させることのできるデジタルカメラを提供することを目的としている。
【００１３】
請求項２記載の発明は、モータを駆動させる際に、外部記憶媒体の動作の有無を判別し、当該外部記憶媒体が動作中であると、当該外部記憶媒体の動作を一旦停止して、モータの駆動動作を行い、当該モータの動作が完了すると、停止した外部記憶媒体の動作を再開することにより、駆動電流の大きいモータを駆動させるタイミングで、モータと外部記憶媒体との重複動作を制御するとともに、外部記憶媒体への画像データの書き込みや読み出しを適切に行い、電池寿命をより適切に延ばすとともに、利用性をより一層向上させることのできるデジタルカメラを提供することを目的としている。
【００１４】
請求項３記載の発明は、外部記憶媒体に対する画像データの書込動作または読出動作とモータの駆動動作を同時に行った場合の消費電流が、モータ動作時の定常動作またはピーク動作の消費電流よりも低い場合には、外部記憶媒体とモータ動作の重複動作を許容することにより、電池寿命に影響の少ないピーク電流値のときにはモータと外部記憶媒体の重複動作を許容して、デジタルカメラとしての処理時間を高速化し、電池寿命を延ばすとともに、利用性をより一層向上させることのできるデジタルカメラを提供することを目的としている。
【００１５】
請求項４記載の発明は、電源の１次側入力電圧が所定の規定電圧よりも低下したときにのみ、外部記憶媒体とモータ動作の重複動作を禁止することにより、電池寿命に特に影響の大きい電池末期にのみモータと外部記憶媒体の重複動作を禁止して、通常はデジタルカメラとしての処理時間を高速化し、電池末期での電池寿命を延ばすとともに、利用性をより一層向上させることのできるデジタルカメラを提供することを目的としている。
【００１６】
請求項５記載の発明は、モータを駆動制御するモータドライバと外部記憶媒体への画像データの書込動作及び読出動作を制御する記憶媒体コントローラの動作の有無に基づいて、モータ及び外部記憶媒体の動作を判別し、当該モータドライバ及び当該記憶媒体コントローラを制御して、モータと外部記憶媒体の重複動作を制御することにより、簡単な構成で、電池動作でのピーク電流を軽減して、ピーク電流に基づく電池の内部抵抗の電圧降下により電源の動作電圧範囲下限への到達を遅らせ、安価に電池寿命を延ばして、利用性を向上させることのできるデジタルカメラを提供することを目的としている。
【００１７】
請求項６記載の発明は、モータ駆動用の電源系統と外部記憶媒体駆動用の電源系統を同じ電源系統とすることにより、電源の回路素子を小型化、簡素化し、安価に電池寿命を延ばしつつ、利用性を向上させることのできるデジタルカメラを提供することを目的としている。
【００１８】
【課題を解決するための手段】
請求項１記載の発明のデジタルカメラは、それぞれモータで駆動される絞り、シャッタ、フォーカス、ズームの少なくとも１つを有する撮像手段で被写体を撮像して、当該撮像した被写体の画像データを所定のデータ形態で外部記憶媒体に書き込んで記録し、当該外部記憶媒体に記録されている前記画像データを読み出して表示手段に再生画像として表示するデジタルカメラにおいて、前記モータを駆動する際には、前記外部記憶媒体に対する前記画像データの書込動作及び読出動作を禁止して、前記モータと前記外部記憶媒体との重複動作を制御する制御手段を備えることにより、上記目的を達成している。
【００１９】
上記構成によれば、それぞれモータで駆動される絞り、シャッタ、フォーカス、ズームの少なくとも１つを有する撮像手段で被写体を撮像して、当該撮像した被写体の画像データを所定のデータ形態で外部記憶媒体に書き込んで記録し、当該外部記憶媒体に記録されている画像データを読み出して表示手段に再生画像として表示するに際して、モータを駆動する際には、外部記憶媒体に対する画像データの書込動作及び読出動作を禁止して、モータと外部記憶媒体との重複動作を制御するので、電池動作でのピーク電流を軽減して、ピーク電流に基づく電池の内部抵抗の電圧降下による電源の動作電圧範囲下限への到達を遅らせることができ、電池寿命を延ばすことができるとともに、デジタルカメラの利用性を向上させることができる。
【００２０】
この場合、例えば、請求項２に記載するように、前記制御手段は、前記モータを駆動させる際に、前記外部記憶媒体の動作の有無を判別し、当該外部記憶媒体が動作中であると、当該外部記憶媒体の動作を一旦停止して、前記モータの駆動動作を行い、当該モータの動作が完了すると、前記停止した前記外部記憶媒体の動作を再開するものであってもよい。
【００２１】
上記構成によれば、モータを駆動させる際に、外部記憶媒体の動作の有無を判別し、当該外部記憶媒体が動作中であると、当該外部記憶媒体の動作を一旦停止して、モータの駆動動作を行い、当該モータの動作が完了すると、停止した外部記憶媒体の動作を再開するので、駆動電流の大きいモータを駆動させるタイミングで、モータと外部記憶媒体との重複動作を制御することができるとともに、外部記憶媒体への画像データの書き込みや読み出しを適切に行うことができ、電池寿命をより適切に延ばすことができるとともに、デジタルカメラの利用性をより一層向上させることができる。
【００２２】
また、例えば、請求項３に記載するように、前記制御手段は、前記外部記憶媒体に対する前記画像データの書込動作または読出動作と前記モータの駆動動作を同時に行った場合の消費電流が、前記モータ動作時の定常動作またはピーク動作の消費電流よりも低い場合には、前記外部記憶媒体と前記モータの重複動作を許容するものであってもよい。
【００２３】
上記構成によれば、外部記憶媒体に対する画像データの書込動作または読出動作とモータの駆動動作を同時に行った場合の消費電流が、モータ動作時の定常動作またはピーク動作の消費電流よりも低い場合には、外部記憶媒体とモータ動作の重複動作を許容するので、電池寿命に影響の少ないピーク電流値のときにはモータと外部記憶媒体の重複動作を許容して、デジタルカメラとしての処理時間を高速化することができ、電池寿命を延ばすことができるとともに、デジタルカメラの利用性をより一層向上させることができる。
【００２４】
さらに、例えば、請求項４に記載するように、前記制御手段は、電源の１次側入力電圧が所定の規定電圧よりも低下したときにのみ、前記外部記憶媒体と前記モータの重複動作を禁止するものであってもよい。
【００２５】
上記構成によれば、電源の１次側入力電圧が所定の規定電圧よりも低下したときにのみ、外部記憶媒体とモータ動作の重複動作を禁止するので、電池寿命に特に影響の大きい電池末期にのみモータと外部記憶媒体の重複動作を禁止して、通常はデジタルカメラとしての処理時間を高速化することができ、電池末期での電池寿命を延ばすことができるとともに、デジタルカメラの利用性をより一層向上させることができる。
【００２６】
また、例えば、請求項５に記載するように、前記デジタルカメラは、前記モータを駆動制御するモータドライバと、前記外部記憶媒体への前記画像データの書込動作及び読出動作を制御する記憶媒体コントローラと、を備え、前記制御手段は、前記モータドライバ及び前記記憶媒体コントローラの動作の有無に基づいて、前記モータ及び前記外部記憶媒体の動作を判別し、当該モータドライバ及び当該記憶媒体コントローラを制御して、前記モータと前記外部記憶媒体の重複動作を制御するものであってもよい。
【００２７】
上記構成によれば、モータを駆動制御するモータドライバと外部記憶媒体への画像データの書込動作及び読出動作を制御する記憶媒体コントローラの動作の有無に基づいて、モータ及び外部記憶媒体の動作を判別し、当該モータドライバ及び当該記憶媒体コントローラを制御して、モータと外部記憶媒体の重複動作を制御するので、簡単な構成で、電池動作でのピーク電流を軽減して、ピーク電流に基づく電池の内部抵抗の電圧降下により電源の動作電圧範囲下限への到達を遅らせることができ、安価に電池寿命を延ばすことができるとともに、デジタルカメラの利用性を向上させることができる。
【００２８】
さらに、例えば、請求項６に記載するように、前記デジタルカメラは、前記モータ駆動用の電源系統と前記外部記憶媒体駆動用の電源系統が同じ電源系統であってもよい。
【００２９】
上記構成によれば、モータ駆動用の電源系統と外部記憶媒体駆動用の電源系統を同じ電源系統とするので、電源の回路素子を小型化、簡素化することができ、安価に電池寿命を延ばすことができるとともに、デジタルカメラの利用性を向上させることができる。
【００３０】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００３１】
図１〜図４は、本発明のデジタルカメラの第１の実施の形態を示す図であり、図１は、本発明のデジタルカメラの第１の実施の形態を適用したデジタルカメラ１の要部ブロック構成図である。
【００３２】
図１において、デジタルカメラ１は、フォーカスレンズ系２０１、ズームレンズ系２０２、絞り２０３、シャッタ２０４等を含むレンズ系２、モータ系２１０、ドライバ系２２０、ＴＧ部（Ｔｉｍｉｎｇ　Ｇｅｎｅｒａｔｏｒ）３０１、ＣＣＤ（電荷結合素子）３０２、ＣＤＳ（相関２重サンプリング）回路３０３、可変利得増幅器（ＡＧＣアンプ）３０４、Ａ／Ｄ変換器３０５、ＩＰＰ（Ｉｍａｇｅ　Ｐｒｅ−Ｐｒｏｃｅｓｓｏｒ）３０６、ＲＡＭ（内部メモリ）３０７、ＤＣＴ（Ｄｉｓｃｒｅｔｅ　Ｃｏｓｉｎｅ　Ｔｒａｎｓｆｏｒｍ）３０８、コーダー（Ｈｕｆｆｍａｎ　Ｅｎｃｏｄｅｒ／Ｄｅｃｏｄｅｒ　）３０９、ＭＣＣ（Ｍｅｍｏｒｙ　Ｃａｒｄ　Ｃｏｎｔｒｏｌｌｅｒ）３１０、カードインターフェース３１１、ＰＣカード（メモリーカード等を含む）３１２、外部通信用ドライバ３１３、コントローラ４、フラッシュメモリ（ＥＥＰＲＯＭ）４０１、コントローラ用Ａ／Ｄ変換器４０２、コントローラ用Ｄ／Ａ変換器４０３、システムバスライン４０４、ストロボ５、ＬＣＤドライバ回路６０１、ＬＣＤ表示部６０２、補助光ランプ６０３、補助光ランプ駆動回路６０４、ＤＣ−ＤＣコンバータ７、バッテリーＡ７０１、バッテリＢ７０２、ＡＣアダプタ７０３、音声アンプ部８、マイク８０１、スピーカ８０２、イヤホン８０３、操作部９、レリーズスイッチ９０１、モード入力部９０２、振動モータドライバ１００１、振動モータ１００２等を備えている。
【００３３】
上記モータ系２１０は、フォーカスモータ２１１、ズームモータ２１２、絞りモータ２１３及びシャッタモータ２１４を備え、ドライバ系２２０は、フォーカスモータドライバ２２１、ズームモータドライバ２２２、絞りモータドライバ２２３及びシャッタモータドライバ２２４を備えている。
【００３４】
絞り２０３とシャッタ２０４は、メカ機構を構成しており、メカニカルシャッタが用いられている。なお、本実施の形態では、メカ機構として、絞り２０３とシャッタ２０４を別々に設けているが、１つの機構で絞り機能とシャッタ機能を持たせてもよい。レンズ系２のフォーカスレンズ系２０１とズームレンズ系２０２は、例えば、バリフォーカルレンズで構成されている。
【００３５】
フォーカスモータドライバ２２１は、コントローラ４からの制御信号に従ってフォーカスモータ２１１を駆動して、フォーカスレンズ系２０１を光軸方向に移動させ、ズームモータドライバ２２２は、コントロ−ラ４からの制御信号に従ってズームモータ２１２を駆動して、ズームレンズ系２０２を光軸方向に移動させる。また、絞りモータドライバ２２３は、コントローラ４からの制御信号に従って絞り２０３を駆動して、絞り値を設定し、シャッタモータドライバ２２４は、コントローラ４からの制御信号に従ってシャッタモータ２１４を駆動して、シャッタ２０４にシャッタ動作を行わせる。
【００３６】
上記レンズ系２のフォーカスレンズ系２０１、ズームレンズ系２０２、絞り２０３、シャッタ２０４、モータ系２１０のフォーカスモータ２１１、ズームモータ２１２、絞りモータ２１３及びシャッタモータ２１４、フォーカスモータドライバ２２１、そして、ドライバ系２２０のズームモータドライバ２２２、絞りモータドライバ２２３及びシャッタモータドライバ２２４は、全体として撮像手段として機能している。また、デジタルカメラ１は、撮像手段として、これらの絞り、シャッタ、フォーカス及びズームの全てを備えている必要はなく、これらのうち少なくとも１つ以上を備えているものであってもよい。
【００３７】
ＣＣＤ（電荷結合素子）３０２は、レンズ系２を介して入力される映像を電気信号（アナログ画像データ）に変換して、ＣＤＳ回路３０３に出力する。ＣＤＳ（相関２重サンプリング）回路３０３は、ＣＣＤ４から入力される映像信号（アナログ画像データ）にＣＣＤ型撮像素子に対する低雑音化して、Ａ／Ｄ変換器６に出力する。また、ＡＧＣアンプ３０４は、ＣＤＳ回路３０３で相関２重サンプリングされた信号のレベルを補正して、Ａ／Ｄ変換器３０５に出力する。なお、ＡＧＣアンプ３０４は、内蔵するＤ／Ａ変換器を介して設定データ（コントロール電圧）がＡＧＣアンプ３０４に設定されることにより、補正レベルが設定される。Ａ／Ｄ変換器３０５は、ＡＧＣアンプ３０４を介して入力されたＣＣＤ３０２からのアナログ画像データをデジタル画像データに変換して、ＩＰＰ３０６に出力する。すなわち、ＣＣＤ３０２の出力信号は、ＣＤＳ回路３０３及びＡＧＣアンプ３０４を介して、また、Ａ／Ｄ変換器３０５により、最適なサンプリング周波数（例えば、ＮＴＳＣ信号のサブキャリア周波数の整数倍）でデジタル信号に変換される。また、デジタル信号処理部であるＩＰＰ３０６、ＤＣＴ３０８及びコーダー３０９は、Ａ／Ｄ変換器３０５から入力されたデジタル画像データについて色差（Ｃｂ、Ｃｒ）と輝度（Ｙ）に分けて各種信号処理、補正処理及び画像圧縮／伸長処理等のデータ処理を施す。ＤＣＴ３０８及びコーダー３０９は、例えば、ＪＰＥＧ準拠の画像圧縮／伸長の一過程である直交変換／逆直交変換及びＪＰＥＧ準拠の画像圧縮／伸長の一過程であるハフマン符号化／復号化等を行う。また、ＩＰＰ３０６は、Ｇ画像データの輝度データ（Ｙ）を検出し、検出した輝度データ（Ｙ）に応じたＡＥ評価値をコントローラ４に出力する。このＡＥ評価値は、被写体の輝度（明るさ）を示すものである。さらに、ＩＰＰ３０６は、設定された色温度範囲内で、Ｒ，Ｇ，Ｂ画像データの各輝度データ（Ｙ）に応じたＡＷＢ（Ａｕｔｏ　Ｗｈｉｔｅ　Ｂａｌａｎｃｅ）評価値を各々コントローラ４に出力する。このＡＷＢ評価値は、被写体の色成分を示すものである。
【００３８】
タイミングジェネレータ（ＴＧ）３０１は、ＩＰＰ３０６から入力される水平同期信号及び垂直同期信号に基づいて、各種タイミング信号を生成する。
【００３９】
ＭＣＣ３１０は、圧縮処理された画像を一旦蓄えてカードインターフェース３１１を介してＰＣカード３１２への記録及びＰＣカード３１２からの画像の読み出しを行う。
【００４０】
ＰＣカード（外部記憶媒体）３１２は、例えば、メモリカード等が用いられ、デジタルカメラ１の撮影した画像が書き込まれ、また、読み出される。
【００４１】
外部通信用ドライバ３１３は、例えば、ＵＳＢ、ＩＥＥＥ１３９４等の規格の通信プロトコルで外部のユニットと通信を行うためのものであり、ＰＣ（パーソナルコンピュータ）１１０１等と接続してデータのやり取りを行ったり、カメラ１と接続可能な通信・電源アダプタ１１０２を介してＰＣ１１０１やＡＣアダプタ７０３を接続可能にして、電力や通信のやりとりを可能にする。
【００４２】
ＬＣＤ表示部（表示手段）６０２は、例えば、透過型ＬＣＤが用いられており、画像データや操作メニュー等を表示する。補助光ランプ６０３は、ＬＣＤ表示部６０２を照明するためのバックライトであり、例えば、蛍光管、あるいは、白色ＬＥＤが用いられている。補助光ランプ駆動回路６０４は、コントローラ４の制御に基づいて補助光ランプ６０３に駆動電力を出力して、補助光ランプ６０３を点灯させる。
【００４３】
ＬＣＤドライバ回路６０４は、ＩＰＰ３０６から入力される画像データをＬＣＤ表示部６０２に表示させる。操作部９は、撮影の指示を行うためのレリーズスイッチ９０１、モード入力部９０２及び図示しない電源スイッチ、ＬＣＤスイッチ、補助光ランプスイッチ、機能選択及びその他の各種設定を外部から行うためのボタン等を備えている。モード入力部９０２は、回転操作することで、音声記録モード９０２ａ、静止画記録９０２ｂ、動画記録９０２ｃの各モードを選択することができる。
【００４４】
ストロボ回路５は、コントローラ４の制御下でストロボ光を発する。バッテリＡ７０１、バッテリＢ７０２は、例えば、ニッケル水素電池、リチウムイオン電池、ニッカド（ＮｉＣｄ）電池、アルカリ電池等が用いられており、場合によって、ＡＣアダプタ７０３の電源電圧が供給され、ＤＣ−ＤＣコンバータ７を介して電源電圧をデジタルカメラ１の内部に供給される。ＤＣ−ＤＣコンバータ７は、コントローラ４の制御により、デジタルカメラ１内部に供給する各種電源をＯＮ／ＯＦＦ（オン／オフ）するスイッチ回路を内蔵している。
【００４５】
コントローラ（制御手段）４は、例えば、ＣＰＵ（Ｃｅｎｔｒａｌ　Ｐｒｏｃｅｓｓｉｎｇ　Ｕｎｉｔ　）、ＲＯＭ（Ｒｅａｄ　Ｏｎｌｙ　Ｍｅｍｏｒｙ）、ＲＡＭ（Ｒａｎｄｏｍ　Ａｃｃｅｓｓ　Ｍｅｍｏｒｙ）、Ａ／Ｄ変換器、Ｄ／Ａ変換器等を備え、ＣＰＵが、操作部９からの指示または図示しないリモコン等の外部動作の指示に従って、ＲＯＭに格納されている制御プログラムに従ってＲＡＭをワークエリアとして使用して、デジタルカメラ１の各部の制御を行う。なお、Ａ／Ｄ変換器、Ｄ／Ａ変換器は、コントローラ４の外部に設けてもよく、この場合は、コントローラ用Ａ／Ｄ変換器４０２、コントローラ用Ｄ／Ａ変換器４０３として配設する。
【００４６】
具体的には、コントローラ４は、撮影動作、自動露出（ＡＥ）動作、自動ホワイトバランス（ＡＷＢ）調整動作やＡＦ動作、表示等の制御を行い、また、各種制御のための情報入力手段の一つとして内蔵のＡ／Ｄ変換器を用いてアナログ情報の把握を行う。なお、内蔵のＡ／Ｄ変換器は、基準電圧と比較することで、Ａ／Ｄ変換する。また、コントローラ４は、アナログ出力のためにＤ／Ａ変換器を用い、さらに、例えば、ＩＰＰ３０６とコントローラ４との制御信号やデータのやりとりを、システムバス４０４を介して行う。
【００４７】
また、コントローラ４は、被写体を撮像して得られる画像データをＰＣカード３１２に記録する記録モードと、ＰＣカード３１２に記録された画像データをＬＣＤ表示部６０２に再生して表示する再生モードと、撮像したモニタリング画像をＬＣＤ表示部６０２に直接表示するモニタリングモード等の各種モード処理を行い、また、再生モードやモニアリングモードで、ＬＣＤ表示部６０２に画像を表示する場合の表示モードとして、操作部９での選択に応じて、固定モードと外光適応モードのモード処理を行う。
【００４８】
フラッシュメモリ４０１には、デジタルカメラの各種パラメータやデータが記録されている。
【００４９】
音声アンプ部８は、コントローラ用Ａ／Ｄ変換器４０２あるいはコントローラ用Ｄ／Ａ変換器４０３を介してマイク８０１、スピーカ８０２及びイヤホン８０３のアナログ信号の増幅を行う。なお、音声出力手段としては、スピーカ８０２に限るものではなく、例えば、コントローラ４の図示しない出力に基づいてブザーオンを発生するブザー等を用いてもよい。
【００５０】
振動モータドライバ１００１は、コントローラ４からの制御信号により動作して、警告表示手段の一手段である振動モータ１００２を駆動させ、振動モータ１００２により振動を発生させて警告表示を行う。
【００５１】
そして、上記デジタルカメラ１は、そのモータ２１１〜２１４及びＰＣカード３１２の制御系は、図２のように示すことができ、上記バッテリーＡ７０１、バッテリＢ７０２を総称する電池７１０、電源スイッチ７１１、上記ＤＣ／ＤＣコンバータ７、フォーカスモータ２１１、ズームモータ２１２、絞りモータ２１３、シャッタモータ２１４、フォーカスモータドライバ２２１、ズームモータドライバ２２２、絞りモータドライバ２２３、シャッタモータドライバ２２４、カードインタフェース３１１、ＰＣカード３１２及びコントローラ等で示すことができる。
【００５２】
そして、デジタルカメラ１は、図２に示すように、モータ２１１〜２１４を駆動するため電源系統と外部記憶媒体であるＰＣカード３１２を駆動するための電源系統が同じ電源系統となっている。
【００５３】
コントローラ４は、各モータドライバ２２１〜２２４の動作を制御して、各モータ２１１〜２１４の駆動制御を行うとともに、カードインタフェース３１１の動作を制御して、ＰＣカード３１２への画像信号の書込動作及びＰＣカード３１２からの画像信号の読出動作を制御する。
【００５４】
特に、コントローラ４は、後述するように、各モータ２１１〜２１４の駆動とＰＣカード３１２の書込動作及び読出動作が重複しないように制御する。
【００５５】
なお、本実施の形態では、各モータ２１１〜２１４をそれぞれ専用のドライバ２２１〜２２４で駆動しているが、各モータ２１１〜２１４にそれぞれ専用のドライバ２２１〜２２４を設けるものに限るものではなく、例えば、図３に示すように、ＩＣで構成された１つのモータドライバ２２５でフォーカスモータ２１１、ズームモータ２１２、絞りモータ２１３及びシャッタモータ２１４の各モータをコントローラ４の制御下で駆動動作させるものであってもよい。
【００５６】
次に、本実施の形態の作用を説明する。本実施の形態のデジタルカメラ１は、各モータ２１１〜２１４の駆動とＰＣカード３１２の書込動作及び読出動作が重複しないように制御する。
【００５７】
デジタルカメラ１は、被写体を撮像して得られる画像データをＰＣカード３１２に記録する記録モードと、ＰＣカード３１２に記録された画像データをＬＣＤ表示部６０２に再生して表示する再生モードと、撮像したモニタリング画像をＬＣＤ表示部６０２に直接表示するモニタリングモード等の各種モードを備えており、コントローラ４がこれらの各種モード制御を行う。
【００５８】
そして、デジタルカメラ１は、操作部９の操作に応じて、コントローラ４が、、フォーカスモータドライバ２２１、ズームモータドライバ２２２、絞りモータドライバ２２３及びシャッタモータドライバ２２４の駆動を各モードに対応した制御を行って、撮影動作等の各種動作を行う。
【００５９】
デジタルカメラ１は、撮影時、ＣＣＤ３０２が、レンズ系２を介して入力される映像を電気信号（アナログ画像データ）に変換して、ＣＤＳ回路３０３に出力し、ＣＤＳ回路３０３が、ＣＣＤ４から入力される映像信号（アナログ画像データ）にＣＣＤ型撮像素子に対する低雑音化し、また、相関２重サンプリングされた信号のレベルを補正して、Ａ／Ｄ変換器６に出力する。Ａ／Ｄ変換器３０５は、ＡＧＣアンプ３０４を介して入力されたＣＣＤ３０２からのアナログ画像データをデジタル画像データに変換して、ＩＰＰ３０６に出力し、ＩＰＰ３０６は、Ｇ画像データの輝度データ（Ｙ）を検出して、検出した輝度データ（Ｙ）に応じたＡＥ評価値をコントローラ４に出力する。また、ＩＰＰ３０６は、設定された色温度範囲内で、Ｒ，Ｇ，Ｂ画像データの各輝度データ（Ｙ）に応じたＡＷＢ評価値を各々コントローラ４に出力する。ＭＣＣ３１０は、圧縮処理された画像を一旦蓄えてカードインターフェース３１１を介してＰＣカード３１２へ記録し、また、ＰＣカード３１２から画像を読み出して、ＬＣＤ表示部６０２に表示させる。
【００６０】
そして、デジタルカメラ１は、このような各種動作処理において、各モータ２１１〜２１４の駆動とＰＣカード３１２の書込動作及び読出動作が重複しないように、コントローラ４が制御する。
【００６１】
すなわち、図４に示すように、コントローラ４は、デジタルカメラ１の動作シーケンスがモータ駆動シーケンスになると、モータ動作準備を行い（ステップＳ１０１）、カードインタフェース３１１が動作しているかどうかによりＰＣカード３１２が動作中かどうかチェックする（ステップＳ１０２）。
【００６２】
ステップＳ１０２で、カードインタフェース３１１が動作していないときには、コントローラ４は、モータ動作を開始し（ステップＳ１０３）、必要なモータ動作を行うと、モータ動作終了処理を行って、制御処理を終了する（ステップＳ１０４）。
【００６３】
ステップＳ１０２で、カードインタフェース３１１が動作しているときには、コントローラ４は、カードインタフェース３１１の動作の停止処理を行って、ＰＣカード３１２への書込動作またはＰＣカード３１２からの読取動作を停止させ（ステップＳ１０５）、モータ動作を開始する（ステップＳ１０６）。コントローラ４は、必要なモータ動作を行うと、モータ動作終了処理を行って、モータの動作を終了し（ステップＳ１０７）、上記停止させていたカードインタフェース３１１の動作を再開する（ステップＳ１０８）。
【００６４】
このように、本実施の形態のデジタルカメラ１は、モータ２１１〜２１４を駆動する際には、外部記憶媒体であるＰＣカード３１２に対する画像データの書込動作及び読出動作を禁止して、モータ２１１〜２１４とＰＣカード３１２との重複動作を制御している。
【００６５】
したがって、電池動作でのピーク電流を軽減して、ピーク電流に基づく電池７１０の内部抵抗の電圧降下による電源の動作電圧範囲下限への到達を遅らせることができ、電池寿命を延ばすことができるとともに、デジタルカメラ１の利用性を向上させることができる。
【００６６】
また、本実施の形態のデジタルカメラ１は、モータ２１１〜２１４を駆動させる際に、ＰＣカード３１２の動作の有無を判別し、ＰＣカード３１２が動作中であると、ＰＣカード３１２の動作を一旦停止して、モータ２１１〜２１４の駆動動作を行い、モータ２１１〜２１４の動作が完了すると、停止したＰＣカード３１２の動作を再開している。
【００６７】
したがって、駆動電流の大きいモータ２１１〜２１４を駆動させるタイミングで、モータ２１１〜２１４とＰＣカード３１２との重複動作を制御することができるとともに、ＰＣカード３１２への画像データの書き込みや読み出しを適切に行うことができ、電池寿命をより適切に延ばすことができるとともに、デジタルカメラ１の利用性をより一層向上させることができる。
【００６８】
さらに、本実施の形態のデジタルカメラ１は、モータ２１１〜２１４を駆動制御するモータドライバ２２１〜２２４とＰＣカード３１２への画像データの書込動作及び読出動作を制御する記憶媒体コントローラであるカードインターフェース３１１の動作の有無に基づいて、モータ２１１〜２１４及びＰＣカード３１２の動作を判別し、モータドライバ２２１〜２２４及びカードインタフェース３１１を制御して、モータ２１１〜２１４とＰＣカード３１２の重複動作を制御している。
【００６９】
したがって、簡単な構成で、電池動作でのピーク電流を軽減して、ピーク電流に基づく電池７１０の内部抵抗の電圧降下により電源の動作電圧範囲下限への到達を遅らせることができ、安価に電池寿命を延ばすことができるとともに、デジタルカメラ１の利用性を向上させることができる。
【００７０】
また、本実施の形態のデジタルカメラ１は、モータ駆動用の電源系統と外部記憶媒体駆動用の電源系統を同じ電源系統としている。
【００７１】
したがって、電源の回路素子を小型化、簡素化することができ、安価に電池寿命を延ばすことができるとともに、デジタルカメラ１の利用性を向上させることができる。
【００７２】
図５は、本発明のデジタルカメラの第２の実施の形態を適用したデジタルカメラによる制御処理を示すフローチャートである。
【００７３】
なお、本実施の形態は、上記第１の実施の形態のデジタルカメラ１と同様のデジタルカメラに適用したものであり、本実施の形態の説明においては、必要に応じて、上記第１のデジタルカメラの説明で用いた符号をそのまま用いて説明する。
【００７４】
本実施の形態のデジタルカメラ１は、各種モータ２１１〜２１４を駆動するに際して、ＰＣカード３１２の書込動作や読取動作と重複していても、モータ２１１〜２１４の動作のピーク電流が定常動作電流よりも大きいかどうかに基づいて、ＰＣカード３１２の書込動作や読取動作との重複動作を許容するかどうかを制御する。
【００７５】
すなわち、図５に示すように、コントローラ４は、デジタルカメラ１の動作シーケンスがモータ駆動シーケンスになると、モータ動作準備を行い（ステップＳ２０１）、カードインタフェース３１１が動作しているかどうかチェックする（ステップＳ２０２）。
【００７６】
ステップＳ２０２で、カードインタフェース３１１が動作していないときには、コントローラ４は、モータ動作を開始し（ステップＳ２０３）、必要なモータ動作を行うと、モータ動作終了処理を行って、制御処理を終了する（ステップＳ２０４）。
【００７７】
ステップＳ２０２で、カードインタフェース３１１が動作しているときには、コントローラ４は、現在のモータ動作のピーク電流が定常動作電流よりも大きいシーケンス中であるかどうかチェックする（ステップＳ２０５）。
【００７８】
そして、ステップＳ２０５で、現在のモータ動作のピーク電流が定常動作電流よりも大きいシーケンス中でないときには、コントローラ４は、モータ動作を開始し（ステップＳ２０３）、必要なモータ動作を行うと、モータ動作終了処理を行って、制御処理を終了する（ステップＳ２０４）。
【００７９】
ステップＳ２０５で、現在のモータ動作のピーク電流が定常動作電流よりも大きいシーケンス中であるときには、コントローラ４は、カードインタフェース３１１の動作の停止処理を行って、ＰＣカード３１２への書込動作またはＰＣカード３１２からの読取動作を停止させ（ステップＳ２０６）、モータ動作を開始する（ステップＳ２０７）。コントローラ４は、必要なモータ動作を行うと、モータ動作終了処理を行って、モータの動作を終了し（ステップＳ２０８）、上記停止させていたカードインタフェース３１１の動作を再開する（ステップＳ２０９）。
【００８０】
このように、本実施の形態のデジタルカメラ１は、ＰＣカード３１２に対する画像データの書込動作または読出動作とモータ２１１〜２１４の駆動動作を同時に行った場合の消費電流が、モータ動作時の定常動作またはピーク動作の消費電流よりも低い場合には、ＰＣカード３１２とモータ２１１〜２１４の重複動作を許容している。
【００８１】
したがって、電池寿命に影響の少ないピーク電流値のときにはモータ２１１〜２１４とＰＣカード３１２の重複動作を許容して、デジタルカメラ１としての処理時間を高速化することができ、電池寿命を延ばすことができるとともに、デジタルカメラ１の利用性をより一層向上させることができる。
【００８２】
なお、上記処理においては、電源である電池７１０の１次側入力電圧が所定の規定電圧よりも低下したときにのみ、ＰＣカード３１２とモータ２１１〜２１４の重複動作を禁止してもよい。
【００８３】
このようにすると、電池寿命に特に影響の大きい電池末期にのみモータ２１１〜２１４とＰＣカード３１２の重複動作を禁止して、通常はデジタルカメラ１としての処理時間を高速化することができ、電池末期での電池寿命を延ばすことができるとともに、デジタルカメラ１の利用性をより一層向上させることができる。
【００８４】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００８５】
【発明の効果】
請求項１記載の発明のデジタルカメラによれば、それぞれモータで駆動される絞り、シャッタ、フォーカス、ズームの少なくとも１つを有する撮像手段で被写体を撮像して、当該撮像した被写体の画像データを所定のデータ形態で外部記憶媒体に書き込んで記録し、当該外部記憶媒体に記録されている画像データを読み出して表示手段に再生画像として表示するに際して、モータを駆動する際には、外部記憶媒体に対する画像データの書込動作及び読出動作を禁止して、モータと外部記憶媒体との重複動作を制御するので、電池動作でのピーク電流を軽減して、ピーク電流に基づく電池の内部抵抗の電圧降下による電源の動作電圧範囲下限への到達を遅らせることができ、電池寿命を延ばすことができるとともに、デジタルカメラの利用性を向上させることができる。
【００８６】
請求項２記載の発明のデジタルカメラによれば、モータを駆動させる際に、外部記憶媒体の動作の有無を判別し、当該外部記憶媒体が動作中であると、当該外部記憶媒体の動作を一旦停止して、モータの駆動動作を行い、当該モータの動作が完了すると、停止した外部記憶媒体の動作を再開するので、駆動電流の大きいモータを駆動させるタイミングで、モータと外部記憶媒体との重複動作を制御することができるとともに、外部記憶媒体への画像データの書き込みや読み出しを適切に行うことができ、電池寿命をより適切に延ばすことができるとともに、デジタルカメラの利用性をより一層向上させることができる。
【００８７】
請求項３記載の発明のデジタルカメラによれば、外部記憶媒体に対する画像データの書込動作または読出動作とモータの駆動動作を同時に行った場合の消費電流が、モータ動作時の定常動作またはピーク動作の消費電流よりも低い場合には、外部記憶媒体とモータ動作の重複動作を許容するので、電池寿命に影響の少ないピーク電流値のときにはモータと外部記憶媒体の重複動作を許容して、デジタルカメラとしての処理時間を高速化することができ、電池寿命を延ばすことができるとともに、デジタルカメラの利用性をより一層向上させることができる。
【００８８】
請求項４記載の発明のデジタルカメラによれば、電源の１次側入力電圧が所定の規定電圧よりも低下したときにのみ、外部記憶媒体とモータ動作の重複動作を禁止するので、電池寿命に特に影響の大きい電池末期にのみモータと外部記憶媒体の重複動作を禁止して、通常はデジタルカメラとしての処理時間を高速化することができ、電池末期での電池寿命を延ばすことができるとともに、デジタルカメラの利用性をより一層向上させることができる。
【００８９】
請求項５記載の発明のデジタルカメラによれば、モータを駆動制御するモータドライバと外部記憶媒体への画像データの書込動作及び読出動作を制御する記憶媒体コントローラの動作の有無に基づいて、モータ及び外部記憶媒体の動作を判別し、当該モータドライバ及び当該記憶媒体コントローラを制御して、モータと外部記憶媒体の重複動作を制御するので、簡単な構成で、電池動作でのピーク電流を軽減して、ピーク電流に基づく電池の内部抵抗の電圧降下により電源の動作電圧範囲下限への到達を遅らせることができ、安価に電池寿命を延ばすことができるとともに、デジタルカメラの利用性を向上させることができる。
【００９０】
請求項６記載の発明のデジタルカメラによれば、モータ駆動用の電源系統と外部記憶媒体駆動用の電源系統を同じ電源系統とするので、電源の回路素子を小型化、簡素化することができ、安価に電池寿命を延ばすことができるとともに、デジタルカメラの利用性を向上させることができる。
【図面の簡単な説明】
【図１】本発明のデジタルカメラの第１の実施の形態を適用したデジタルカメラの要部ブロック構成図。
【図２】図１のデジタルカメラのモータ及びＰＣカードの制御系の概略ブロック構成図。
【図３】１つのモータドライバを用いた場合のデジタルカメラのモータ及びＰＣカードの制御系の概略ブロック構成図。
【図４】図１のデジタルカメラによるモータ動作及びＰＣカード動作の制御処理を示すフローチャート。
【図５】本発明のデジタルカメラの第２の実施の形態を適用したデジタルカメラによるモータ動作及びＰＣカード動作の制御処理を示すフローチャート。
【符号の説明】
１　デジタルカメラ
２　レンズ系
４　コントローラ
５　ストロボ
７　ＤＣ−ＤＣコンバータ
８　音声アンプ部
９　操作部
２０１　フォーカスレンズ系
２０２　ズームレンズ系
２０３　絞り
２０４　シャッタ
２１０　モータ系
２１１　フォーカスモータ
２１２　ズームモータ
２１３　絞りモータ
２１４　シャッタモータ
２２０　ドライバ系
２２１　フォーカスモータドライバ
２２２　ズームモータドライバ
２２３　絞りモータドライバ
２２４　シャッタモータドライバ
３０１　ＴＧ部
３０２　ＣＣＤ
３０３　ＣＤＳ回路
３０４　ＡＧＣアンプ
３０５　Ａ／Ｄ変換器
３０６　ＩＰＰ
３０７　ＲＡＭ
３０８　ＤＣＴ
３０９　コーダー
３１０　ＭＣＣ
３１１　カードインターフェース
３１２　ＰＣカード
３１３　外部通信用ドライバ
４０１　フラッシュメモリ
４０２　コントローラ用Ａ／Ｄ変換器
４０３　コントローラ用Ｄ／Ａ変換器
４０４　システムバスライン
６０１　ＬＣＤドライバ回路
６０２　ＬＣＤ表示部
６０３　補助光ランプ
６０４　補助光ランプ駆動回路
７０１　バッテリーＡ
７０２　バッテリＢ
７０２　ＡＣアダプタ
８０１　マイク
８０２　スピーカ
８０３　イヤホン
９０１　レリーズスイッチ
９０２　モード入力部
１００１　振動モータドライバ
１００２　振動モータ
【図１】
2004048556.tif 000003
【図２】
2004048556.tif 000004
【図３】
2004048556.tif 000005
【図４】
2004048556.tif 000006
【図５】
2004048556.tif 000007